(57)【特許請求の範囲】
【請求項１】
被包装物を収容する収容部と；
前記収容部の上端に形成されたまち部と；
前記まち部に連結された端部を有するループ状ハンドルと；
前記ループ状ハンドルの端部の間において前記まち部に形成された開封用の把持穴とを備えるとともに、
前記把持穴の外側であり、前記ループ状ハンドルの端部の内側には、２本の開封用の切り取り線が形成され；
前記把持穴を把持して引っ張ることにより、前記切り取り線に沿って当該パッケージを開封可能に構成したことを特徴とする軟包装パッケージ。
【請求項２】
前記開封用の切り取り線は、前記まち部の上端から前記収容部にわたって形成されることを特徴とする請求項１に記載の軟包装パッケージ。
【発明の詳細な説明】
【０００１】
【発明の属する技術分野】
本発明は、軟包装パッケージに関し、更に詳しくは、軟包装パッケージの開封構造の改良に関する。
【０００２】
【従来の技術】
使い捨て紙おむつ等を包装するパーケージとして、プラスチックフィルム等の軟包装パッケージが使用されている。軟包装パッケージにおいては、開封が容易で且つ開封後も包装袋としての機能を残存させ得る構造が種々提案されている。
【０００３】
例えば、実公昭６２−３１４２３号公報や実開昭６０−８２６０号公報に示された考案によれば、チューブ状の包装体のまち部に形成された吊り手に開封用舌片又はタブを設け、この開封用舌片又はタブから袋部側に向かってミシン目を形成している。そして、上記開封用舌片又はタブをつまんで、下方に引き下げることによって、包装体が開封される。
【０００４】
【発明が解決しようとする課題】
しかしながら、上記のような従来の構造では、比較的小さな開封用舌片又はタブをつまんで開封するように設計されているため、高齢者や手先の器用でない人には、上手く開封することができなかった。そのため、設計者の意図とは異なり、単純に袋を破って開封している場合が多い。
【０００５】
本発明は上記のような状況に鑑みてなされたものであり、誰でも容易に開封でき且つ、開封後もパッケージとして機能し得る軟包装パッケージを提供することを目的とする。
【０００６】
【課題を解決するための手段】
本発明に係る軟包装パッケージは、上記課題を解決するために、被包装物を収容する収容部と；前記収容部の上端に形成されたまち部と；前記まち部に連結された端部を有するループ状ハンドルと；前記ループ状ハンドルの端部の間において前記まち部に形成された開封用の把持穴とを備える。また、前記把持穴の外側であり、前記ループ状ハンドルの端部の内側には、２本の開封用の切り取り線が形成される。そして、前記把持穴を把持して引っ張ることにより、前記切り取り線に沿って当該パッケージを開封可能に構成している。
【０００７】
以上のような構成により、使用者は５本の指を使って大胆且つ容易にパッケージを開封することが可能となる。
【０００８】
【発明の実施の形態】
図１は、本発明の第１の参考例に係る軟包装パッケージ１０を示す。図２には、収容部１２の内側の様子が示されている。図３は、軟包装パッケージ１０の開封状態を示す。この軟包装パッケージ１０は、例えば、使い捨ておむつ（２２）用に使用することができる。軟包装パッケージ１０は、使い捨ておむつ２２（図３参照）を収容する収容部１２と、収容部１２の上端に形成されたまち部１４と、まち部１４に設けられたループハンドル１６，１８とを備えている。
【０００９】
収容部１２は、プラスチックフィルム等によって略直方体状に形成されている。まち部１４は、収容部１２と一体に成形され、収容部１２よりも厚みを大きくするなどの工夫により強度を高めている。ループハンドル１６，１８は、連結部１６ａ，１６ｂ，１８ａ，１８ｂによって、まち部１４に固定（連結）されている。
【００１０】
収容部１２のループハンドル１８側の側面には、ミシン目２０が形成されている。ミシン目２０は、まち部１４の上端部から収容部１２の側面に沿って下側に延びると同時に、収容部１２の内側の上面部にまで延びている（図２参照）。ミシン目２０は、ループハンドル１８の連結部１８ａ，１８ｂの外側に延びており、収容部１２の底面までは達していない。ミシン目２０の成形は周知の方法により、カッター刃をミシン目状に走らせ、これを熱可塑性合成樹脂フィルムにプレスすることによって行なうことができる。これにより、収容部１２はミシン目２０に沿って容易に破れるようになる。ループハンドル１６，１８は、ヒートシール、インパルスシール、ソニックシール等の方法によってまち部１４に接着される。なお、収容部１２に形成される開封線はミシン目に限定されるものではなく、そのラインに沿って容易に破れるものであれば他の構造を採用することも可能である。
【００１１】
第１の参考例に係る軟包装パッケージ１０を開封する場合には、片方の手でループハンドル１６を持ち、もう一方の手でループハンドル１８を把持して、外側に引っ張る。すると、収容部１２がミシン目２０に沿って破れ、図３に示すようにパッケージ１０が開封される。開封された状態で、収容部１２中に収容された使い捨ておむつ２２を順次取り出すことになる。このように、パッケージ１０の開封の際に力を加える部分がループハンドル１８であるため、誰でも容易に開封作業を行うことができる。すなわち、従来のように指先で摘んだりする動作がなく、５本の指を使って大胆且つ単純な動作でパッケージ１０を開封することができる。なお、収容部１２中に収容されるものは、使い捨ておむつ２２に限定されないことは言うまでもない。
【００１２】
図４に本発明の実施例に係る軟包装パッケージ３０を示す。軟包装パッケージ３０は、使い捨ておむつ等を収容する収容部３２と、収容部３２の上端に形成されたまち部３４と、まち部３４に設けられたループハンドル３６，３８とを備えている。
【００１３】
まち部３４は、収容部３２と一体に成形され、収容部３２よりも厚みを大きくする等して強度を高めている。ループハンドル３６，３８は、連結部３６ａ，３６ｂ，３８ａ，３８ｂによって、まち部３４に固定（連結）されている。まち部３４のループハンドル３８の連結部３８ａ，３８ｂの間には、開封用の把持穴４０が形成されている。この把持穴４０は、大人が容易に把持できる程度の大きさに成形される。
【００１４】
収容部３２のループハンドル３８側の側面には、２本のミシン目４２が形成されている。ミシン目４２は、図１に示す第１の参考例と同様に、まち部３４の上端部から収容部３２の下側に向かって延びると同時に、収容部３２の内側の上面部にも延びている。ミシン目４２は、まち部３４においては、ループハンドル１８の連結部１８ａ，１８ｂの内側であり、把持穴４０の外側に形成されている。ミシン目４２は上記第１の参考例と同様の方法によって成形することができる。
【００１５】
上記のように構成された本発明の実施例に係る軟包装パッケージ３０を開封する場合には、片方の手でループハンドル３６を持ち、もう一方の手で把持穴４０を把持して、外側に引っ張る。すると、収容部３２がミシン目４２に沿って破れてパッケージ３０が開封される。このように、パッケージ３０の開封の際に力を加える部分が把持穴４０であるため、誰でも容易に開封作業を行うことができる。すなわち、従来のように指先で摘んだりする動作がなく、５本の指を使って大胆且つ単純な動作でパッケージ３０を開封することができる。なお、収容部３２中に収容されるものは、使い捨ておむつに限定されないことは言うまでもない。
【００１６】
図５に本発明の第２の参考例に係る軟包装パッケージ５０を示す。軟包装パッケージ５０は、使い捨ておむつ等を収容する収容部５２と、収容部５２の上端に形成された延出部５４と、延出部５４に設けられた持ち手穴５６，５８とを備えている。延出部５４は、収容部５２の対向する２側面上部に一体成形されている。延出部５４は、また、収容部３２よりも厚みを大きくする等の工夫により強度を高めている。延出部５４の持ち手穴５８の外側には、当該延出部５４の上端から収容部５２に延びる２本のミシン目６０が形成されている。持ち手穴５６，５８は、大人が容易に把持できる程度の大きさに成形される。
【００１７】
ミシン目６０は、上述した第１の参考例及び本発明の実施例と同様に、延出部５４の上端部から収容部５２の下側に向かって延びると同時に、収容部５２の内側の上面部にも延びている。また、ミシン目６０は上記第１の参考例と同様の方法によって成形することができる。
【００１８】
上記のように構成された第２の参考例に係る軟包装パッケージ５０を開封する場合には、片方の手で持ち手穴５６を持ち、もう一方の手で持ち手穴５８を把持して、外側に引っ張る。すると、収容部５２がミシン目６０に沿って破れてパッケージ５０が開封される。このように、パッケージ５０の開封の際に力を加える部分が持ち手穴５８であるため、誰でも容易に開封作業を行うことができる。すなわち、従来のように指先で摘んだりする動作がなく、５本の指を使って大胆且つ単純な動作でパッケージ５０を開封することができる。なお、収容部５２中に収容されるものは、使い捨ておむつに限定されないことは言うまでもない。
【００１９】
図６に本発明の第３の参考例に係る軟包装パッケージ７０を示す。軟包装パッケージ７０は、使い捨ておむつ等を収容する収容部７２と、収容部７２の上端に形成された延出部７４と、延出部７４に設けられた持ち手穴７６と、持ち手穴７６の下方に形成された開封用の把持穴７４とを備えている。延出部７４は、収容部７２の上端を閉じるように１枚構成となっている。
【００２０】
延出部７４は、収容部７２よりも厚みを大きくする等の工夫により強度を高くしてある。持ち手穴７６及び把持穴７８の両方とも、大人が容易に把持できる程度の大きさに成形され、持ち手穴７６の方が把持穴７８より幅広に成形されている。延出部７４において、持ち手穴７６の内側で把持穴７８の外側には、当該持ち手穴７６から収容部７２に延びる２本のミシン目８０が形成されている。
【００２１】
上記のように構成された第３の参考例に係る軟包装パッケージ７０を開封する場合には、片方の手（例えば、左手）で持ち手穴７６を持ち、もう一方の手（例えば、右手）で持ち手穴７６から把持穴７８を把持して、外側に引っ張る。すると、収容部７２がミシン目８０に沿って破れてパッケージ７０が開封される。更に具体的には、例えば、左手の親指以外の４本の指を持ち手穴７６に入れて延出部７４の上端を把持すると同時に、持ち手穴７６から把持穴７８に右手の親指以外の４本の指を通して持ち手穴７６と把持穴７８との中間部分を把持する。
【００２２】
このように、パッケージ７０の開封の際に力を加える部分が持ち手穴７６及び把持穴７８であるため、誰でも容易に開封作業を行うことができる。すなわち、従来のように指先で摘んだりする動作がなく、５本の指を使って大胆且つ単純な動作でパッケージ７０を開封することができる。なお、収容部７２中に収容されるものは、使い捨ておむつに限定されないことは言うまでもない。
【００２３】
以上、本発明の実施例及び参考例について説明したが、本発明は上記実施例に何ら限定されるものではなく、特許請求の範囲に示された技術的思想の範疇において変更可能なものである。
【００２４】
【発明の効果】
以上説明したように、本発明においては、被包装物を収容する収容部と；前記収容部の上端に形成されたまち部と；前記まち部に連結された端部を有するループ状ハンドルと；前記ループ状ハンドルの端部の間において前記まち部に形成された開封用の把持穴とを備える。また、前記把持穴の外側であり、前記ループ状ハンドルの端部の内側には、２本の開封用の切り取り線が形成される。そして、前記把持穴を把持して引っ張ることにより、前記切り取り線に沿って当該パッケージを開封可能に構成している。従って、誰でも容易に開封でき且つ、開封後もパッケージとして機能し得るという効果がある。
【図面の簡単な説明】
【図１】  図１は、第１の参考例に係る軟包装パッケージの構造を示す斜視図である。
【図２】  図２は、第１の参考例に係る軟包装パッケージのループハンドル内側の構造を示す説明図である。
【図３】  図３は、第１の参考例に係る軟包装パッケージの開封状態を示す斜視図である。
【図４】  図４は、本発明の実施例に係る軟包装パッケージの構造を示す斜視図である。
【図５】  図５は、第２の参考例に係る軟包装パッケージの構造を示す斜視図である。
【図６】  図６は、第３の参考例に係る軟包装パッケージの構造を示す斜視図である。
【符号の説明】
１０    軟包装パッケージ
１２    収容部
１４，３４    まち部
１６，１８    ループハンドル
１８ａ，１８ｂ    連結部
２０    ミシン目
【図１】
0003946930.tif 000002
【図２】
0003946930.tif 000003
【図３】
0003946930.tif 000004
【図４】
0003946930.tif 000005
【図５】
0003946930.tif 000006
【図６】
0003946930.tif 000007